(57)【要約】  ウェブ印刷機においてモータフェーズをプレセットする方法であって、版（１２２）上にマーク（７０，７２）を設けるステップを含み、当該マークは印刷の間、版を駆動させるモータ（２２０，２３０）に対する所望のプレセットフェーズの関数である。このマークはセンサ（２４，３４）を用いて読み取られる。当該センサはセンサアウトプットを有する。モータのフェーズはこのセンサアウトプットの関数としてプレセットされる。版およびウェブ印刷機も設けられる。
2009513376.tif 000002
【特許請求の範囲】
【請求項１】
ウェブ印刷機においてモータフェーズをプレセットする方法であって、
版上にマークを設けるステップを含み、当該マークは印刷の間、前記版を駆動させるモータに対する所望のプレセットフェーズの関数であり、
センサを用いて前記マークを読み取るステップを含み、当該センサはセンサアウトプットを有しており、
当該センサアウトプットの関数として前記モータのフェーズをプレセットするステップを含む、
ことを特徴とする、ウェブ印刷機においてモータフェーズをプレセットする方法。
【請求項２】
前記所望のプレセットフェーズは、前記版上のマークの物理的な位置の関数である、請求項１記載の方法。
【請求項３】
前記マークは、前記所望のプレセットフェーズに関する情報を含む、請求項１記載の方法。
【請求項４】
前記マークは、前記所望のプレセットフェーズに関する情報を含む、請求項２記載の方法。
【請求項５】
前記版はリソグラフィ印刷版である、請求項１記載の方法。
【請求項６】
前記マークは前記印刷版のメインイメージ領域の外に配置されている、請求項１記載の方法。
【請求項７】
プレ印刷過程の間に前記マークを印刷版上に配置することを含む、請求項１記載の方法。
【請求項８】
版が印刷機上にあるときに前記センサは前記マークを読み取る、請求項１記載の方法。
【請求項９】
印刷機上に印刷版が配置される前に前記センサは前記マークを読み取る、請求項５記載の方法。
【請求項１０】
第２の版上に第２のマークを設けることを含み、当該第２のマークは、印刷の間、第２の版を駆動させる第２のモータに対する所望のプレセットフェーズの関数であり、前記第１の版と第２の版は異なるウェブを印刷する、請求項１記載の方法。
【請求項１１】
特定のジョブに対する所望のプレセットフェーズを計算することを含む、請求項１記載の方法。
【請求項１２】
所望のプレセットフェーズを格納することを含む、請求項１１記載の方法。
【請求項１３】
メインイメージ領域と、所望のプレセットモータフェーズを示すマークを含む、
ことを特徴とする版。
【請求項１４】
ウェブ印刷機であって、
第１のウェブを印刷するための第１の印刷グループを含み、
少なくとも１つの第１の駆動モータと、少なくとも１つの第１の版を有しており、前記第１の版は、第１の駆動モータを第１のプレセットフェーズにプレセットするための第１のプレセットモータフェーズ情報を提供する第１のマークを有しており、
前記第１のマークを読み取るための第１のセンサを有しており、当該第１のセンサはアウトプットを有しており、
前記第１のプレセットモータフェーズ情報を、前記第１のセンサのアウトプットの関数として定めるコントローラを有している、
ことを特徴とするウェブ印刷機。
【請求項１５】
さらに折り機を有しており、当該折り機はウェブを折り丁に裁断する裁断装置を有しており、
前記第１のプレセットモータフェーズ情報は裁断装置の基準位置の関数である、請求項１４記載のウェブ印刷機。
【請求項１６】
第２のウェブを印刷するための第２の印刷グループを含み、少なくとも１つの第２の駆動モータと、少なくとも１つの第２の版を有しており、前記第２の版は、第２の駆動モータを第２のプレセットフェーズにプレセットするための第２のプレセットモータフェーズ情報を提供する第２のマークを有している、請求項１４記載のウェブ印刷機。
【請求項１７】
前記コントローラは前記第１の駆動モータおよび第２の駆動モータをコントロールする、請求項１６記載のウェブ印刷機。
【請求項１８】
さらに版イメージング装置を有しており、
当該版イメージング装置はマークを作成するためのコントローラと接続されている、請求項１４記載のウェブ印刷機。
【発明の詳細な説明】
【技術分野】
【０００１】
背景情報
本発明は、概して印刷機に関し、より詳細には印刷機内のモータの位置のセッティングに関する。
【０００２】
ウェブ印刷機内では、ある他の印刷機コンポーネント（例えばウェブ裁断装置）に関連して、１つのウェブ上に印刷されるイメージを適切に長手方向に位置決めすることが必要とされる。印刷されるイメージの長手方向位置決めを変えるために、１つのウェブの印刷ユニットに対する駆動モータまたはモータのフェーズが変えられ、これによって、ウェブに関連した、胴上のイメージの角度が変えられる。操作者は印刷機を作動させ、印刷物を手動で観察することによって、モータのフェーズを変え、各ウェブの適切な長手方向位置決めを得る。択一的に、各ウェブ上のマークはセンサによって読み取られる。この場合にフィードバック回路は、マーク、ひいてはウェブを、設定値である長手方向位置に位置付けするために用いられる。印刷機操作者は、印刷機が作動している各時間で手動観察またはフィードバック補正を行う必要がある。
【０００３】
米国特許第６４０８７４８号には、コンピュータ処理およびメモリユニットによって直接的に送信されたデータを用いて、ウェブ印刷機内のモータコントロールのフェーズをセットすることが記載されている。このシステムは、コンピュータ処理およびメモリユニットと、各モータコントロールとの間の安定したインタフェースを必要とし、コンピュータ処理およびメモリユニットのメモリが不変に保たれたままであり、アクセス可能であることを必要とする。
【０００４】
欧州特許出願第１１６７０３５号には、自動裁断機能および印刷見当合わせ機能を有する、同期コントロールシステムが開示されている。これらの機能は、ペーパーウェブを用いた輪転印刷機における種々異なる色に対する予め定められたマークを検出することに基づいている。
【０００５】
米国特許第５２８９７７０号公報、第５４２５０９２号公報および第５５４６８５９号公報は、マーキングデバイスを用いて巻取印刷機の折り機内に切断レジスタをプレセッティングするためのデバイスに関する。このマーキングデバイスは、ウェブの２つの印刷イメージ間のイメージの無い領域内にマークを加える。
【０００６】
米国特許第４６６５８２４号には、割り当てられた印刷版のしるしが無いゾーンでの印刷過程データを符号化する仕事ストリップが記載されている。この印刷過程データは、インキ調整デバイスに対する事前設定値または事前調整値、枚葉紙供給情報、枚葉紙供給のフォーマット調整、サイドレー、前当て、バンドまたはテープおよび、枚葉紙供給印刷機に関連した他の特徴に対する調整を含む。
【０００７】
欧州特許第１００２６４６号公報には、印刷版取り付け位置指示システムが開示されている。印刷版上にマークされた情報は、例えばバーコードの形で読み出され、どの位置に印刷版を取り付けるのかが定められる。
【０００８】
米国特許第５０５８５００号公報には、識別マークを有する印刷版が開示されている。この識別マークはどの色のためにこの印刷版が使用されるか、およびどの印刷機においてこの印刷版が使用されるのかを示す。
【０００９】
発明の要約
本発明の対象は、持続的にアクセス可能なメモリまたはデータベース、手動調整または印刷マークフィードバックループを必要としない、印刷ユニットモータフェージングの直接的なセットアップを提供することである。
【００１０】
本発明は、ウェブ印刷機においてモータフェーズをプレセットする方法を提供する。この方法は以下のステップを含む。すなわち：
版（printing form）上にマークを設けるステップを含み、ここでこのマークは印刷の間、版を駆動させるモータに対する所望のプレセットフェーズの関数であり、
センサを用いてマークを読み取るステップを含み、ここでこのセンサはセンサアウトプットを有しており、
モータのフェーズを、このセンサアウトプットの関数としてプレセッティングするステップを含む。
【００１１】
版上のプレセットフェーズ情報を格納することによって、プレセッティングのためにローカルデータベースまたはメモリに持続的にアクセスする必要はなくなる。また、特定の版によるプレセットフェーズ情報の補正がより簡単になる。フィードバックループまたはマニュアル調整は必要ない。
【００１２】
このマークはシンプルなアナログマークであり得る。これは例えば版上の物理的な位置によって、この版に対する所望のフェーズを示す。マークはその形状によって、特定のプレセットフェーズ情報も含むことができる。例えばデジタル情報がバーコード形状でまた他のコード化されたシーケンスで提供されてもよい。この場合にこのマークは、各版上で同じ物理的位置に配置されてもよい。択一的に、デジタル情報マークの物理的な位置は所望のフェーズを与え、このデジタル情報は他のプレセット情報または冗長的なプレセット情報を与えることができる。
【００１３】
版は有利には、例えばリソグラフィ印刷版等の印刷版である。しかし、イメージシリンダに組み込まれているまたはイメージシリンダから取り外し可能な、直接的にイメージされる版であってもよい。
【００１４】
このマークは、プレ印刷版作成プロセスの間に印刷版上に配置されてもよい。例えば、プレセットフェーズ情報は、ＣＴＰ装置（computer- to- platemeking device）へ提供される。このデバイスは、その後、印刷版のイメージ領域外にマークを作成する。有利にはこのマークは、版のイメージ領域の側面に対してラテラル方向に配置される。
【００１５】
版が印刷機上にあるときにセンサはマークを読み取る。または、版が印刷機に組み込まれていない場合には、印刷機上に版が配置される前に読み取る。
【００１６】
１つのウェブは、同期的にまたは共同して駆動される、印刷ユニット（例えば４つの印刷ユニット）の印刷グループを通過するので、マークを有するグループの１つの版だけが、印刷グループ全体をプレセットするのに必要とされる。しかしプレセットフェーズ情報を、グループ内の複数の版の複数のマークに設けること可能である。
【００１７】
有利には版は１つのウェブに対応付けされており、第２の版には第２のマークが設けられている。この第２のマークは、第２の版を駆動させる第２のモータに対する所望の第２のプレセットフェーズの関数である。第２のフォームは第２のウェブに対応付けされている。
【００１８】
本発明では、初期モータフェーズが特定のジョブに対する操作者の経験によって定められる、または正確にされ、あらゆる方法でメモされるまたは記憶される。その後、版または像作成装置に供給される。例えば新聞印刷機は、その日毎に、幾つかの異なったジョブを行うために使用される。ジョブ１はある新聞を印刷することであり、ジョブ２は異なるフォーマットを伴った別の新聞を印刷することである。各ジョブは、各ウェブに対して、紙裁ち胴または折り機に関連した、特定の所望されている位置を必要とする。これは典型的にゼロまたは他の基準ポイントを提供する。ジョブ１およびジョブ２は、イメージ領域が変わるにつれて、連続した日数で再走行する。しかし種々のウェブに対するフォーマットおよび所望の位置は、特定のジョブのために変わらずに残る。従ってジョブ１は、第１のウェブを印刷する版Ａが胴ゼロに対して２３°の角度を有していることを要求し、第２のウェブを印刷する版Ｂが１１０°の角度を有することを要求する。ジョブ２は、異なる角度を要求する。従って各時で、イメージフォームがジョブ１に対して形成され、マークが版Ａ上に書き込まれ、これは２３°の所望の角度を示す。さらにマークが版Ｂ上に書き込まれ、これは１１０°の所望の角度を示す。
【００１９】
従って本発明の方法はさらに、特定のジョブに対する所望のプレセットフェーズを計算することを含む。初期化フェーズの間に操作者がジョブに対して適切な角度を定めると、センサは有利には仮のマークをセンシングするために使用され、マークの角度を定める。その後、このデータは、今後、同じジョブの版をプレセットするために使用される。このジョブデータは、ディスクまたはメモリストレージ上に格納される。しかし有利には、版または像作成装置に対してアクセス可能なように作成されさえすればよく、印刷機自体に対して持続的に使用可能である必要はない。
【００２０】
本発明は版も提供する。この版はイメージ領域とマークを含む。このマークはプレセットモータフェーズ情報を提供する。
【００２１】
本発明は、ウェブ印刷機も提供する。このウェブ印刷機は、第１のウェブを印刷するための第１の印刷グループを含み、少なくとも１つの第１の駆動モータと、少なくとも１つの第１の版を有する。この第１の版は第１のマークを有する。この第１のマークは、第１の駆動モータを第１のプレセットフェーズにプレセッティングするための第１のプレセットモータフェーズ情報を提供する。この印刷機は、この第１のマークを読み取るための第１のセンサと、第１のプレセットモータフェーズ情報を第１のセンサのアウトプットの関数として定めるためのコントローラを有している。
【００２２】
ウェブ印刷機はさらに、折り機を有することができる。この折り機は、ウェブを折り丁に裁断するための裁断装置を有している。第１のプレセットモータフェーズ情報は裁断装置の位置の関数である。ウェブ印刷機は、第２のウェブを印刷するための第２の印刷グループも含み、少なくとも１つの第２の駆動モータと、少なくとも１つの第２の版を有する。この第２の版は第２のマークを有する。この第２のマークは、第２の駆動モータを第２のプレセットフェーズにプレセッティングするための第２のプレセットモータフェーズ情報を提供する。
【００２３】
コントローラは、第１および第２の駆動モータを、これらの駆動モータが独立している場合でも同期的にコントロールする。コントローラは折り機または他の印刷機コンポーネントからインプットを受け取ることができる。このインプットは例えば、ゼロまたは他の基準位置を提供することができる。この基準位置は、ウェブの裁断位置を示す。各ウェブに対する所望の印刷位置はこの基準位置に基づく。
【００２４】
図面の簡単な説明
本発明を以下の図面に関連してさらに説明する。
【００２５】
図１には、２つの印刷グループおよび１つの折り機を有する、本発明に相応するウェブ印刷機の１つの実施例が概略的に示されており、
図２には、本発明に相応する印刷版の第１の実施例が示されており、
図３には、本発明に相応する印刷版の第２の実施例が示されている。
【００２６】
詳細な説明
図１には、第１のウェブ１２０を印刷する第１の印刷グループ２０と、第２のウェブ１３を印刷する第２の印刷グループ３０を有する印刷機１０が示されている。折り機４０はウェブ１２０、１３０を折り、裁断装置４２を介してウェブ１２０、１３０を折られた製品１４０、例えば新聞に裁断する。
【００２７】
この実施例では、印刷グループ２０は、８つの版胴２２Ａ，２２Ｂ，２２Ｃ，２２Ｄ，２２Ｅ，２２Ｆ，２２Ｇ，２２Ｈを有している。各版胴にはゴム胴２３が割り当てられている。各胴は直接的にまたは間接的にモータ２２０によって駆動される。しかし１つより多いモータが印刷グループ２０に対して設けられ、これらのモータが同期的に動作することも可能である。第２の独立したモータが、印刷グループ３０を駆動させる。版胴上の版の代わりに、他の版、例えば、直接的にイメージングされる胴表面が使用可能である。
【００２８】
センサ２４は、例えば版胴２２Ｄ用の版の上のマークを読み取り、コントローラ２００へインプットを供給する。版胴２２Ｄは、ゼロ位置を有する符号器を有しており、例えばオペレータのコマンドによって、版胴２２Ｄがコントローラ２００によって回転される場合には、このインプットは、モータ２２０に対する所望のプレセットフェーズを示す。従ってコントローラ２００は、ウェブがゴム胴２３から解放されていることを確実にし、全ての版胴２２Ａ〜２２Ｈが、特定の印刷ジョブに対して適切な角度位置にあるようにモータ２２０を回転させることができる。ゴム胴２３はその後、このウェブ１２０を解放する。択一的に、プレセッティングは、印刷走行の開始時に行われる。ここでは印刷機は作動しており、ウェブが避けるまたはオーバーランニングすることを回避するのに十分に遅いスピードでプリントされる。従って、ここで定められたようにモータフェーズを「プレセッティング」することは、印刷走行の開始時にモータフェーズを変えることを含む。ここでは印刷機が作動している、または停止位置から動いている。
【００２９】
同じプレセッティングプロシージャが、印刷グループ３０（およびあらゆる他の印刷グループ）に対して行われる。ここでは例えば版胴３２上のマークを読み取るセンサ３４が使用される。
【００３０】
図２には、センサ２４および３４によって読み取られる印刷版１２２上のマーク７０の例が示されている。マーク７０は、メインイメージ領域８０の側面に対する可視イメージであり、印刷機１０のインキ装置によってインキ付けされる前または後に読み取られる。版１２２のガイドエッジ７４（またはあらゆる他の適切なポイント）は、版胴２２Ｄに対する符号器のゼロまたは他の基準位置に相応する。マーク７０のトップエッジはガイドエッジ７４から距離Ｄで位置付けされている。従ってこの距離Ｄは、版１２２が版胴２２Ｄ上にある場合に、マーク７０の角度位置を定める。この角度位置は例えば、モータ２２０および版１２２の所望のプレセットフェーズと合致する。
【００３１】
図３には、メインイメージ領域８２を伴う印刷版２２２上のマーク７２の択一的な例が示されている。マーク７２は例えば、モータ２２０に対する所望のプレセットフェーズ情報を含むバーコードである。マーク７２は、版２２Ｄ上にあるときにはセンサ２４によって読み取られ、センサ２４はこの場合にはバーコードリーダーである。択一的に、操作者が例えば手持ち式センサ９０によってバーコード７２を読み取り、プレセット情報をコントローラ２００へ提供する。マーク７２はマーク７０と同じように位置づけされてもよい。これによってセンサ２４はそのガイドエッジ位置を読み取る。これは冗長的なフェーズプレセット情報を提供することができる。
【００３２】
図１に戻って、初期化プロセスを説明する。例えば、操作者が印刷機１０に対する新たなジョブオーダを受け取ったとき、所望のプレセットモータフェーズ値は知られていない。操作者は、版作成装置５０を用いて、版胴２２Ｄおよび３２用の版のために、マーク７０を、既知の角度位置（例えば０°または１８０°）で焼き付ける。その後で操作者は、取り付けられた版を有する印刷機を作動させ、モータ２２０，２３０に対する位相角度を手動で調整する。これによって、各ウェブ１２０、１３０に対して、このジョブのための適切なプリントトゥカットレジスタ（print-to-cut register）が得られる。これは折り機４０によって与えられた基準位置に関する。センサ２４（または他のセンサ）はその後、各版胴２２Ｄ，３２に対する符号器基準位置に関したマーク７０の角度位置を読み取る。特定のジョブは、版胴２２Ｄが２３°にプレセットされるようにモータ２２０に対するフェーズがセットされることを要求する。さらに版胴３２が１１０°でスタートするように、モータ２３０に対するフェーズがプレセットされることを要求する。このジョブに対する全ての今後の版のためにマーク７０は２３°および１１０°で、胴２２Ｄおよび３２に対する版のためにそれぞれイメージングされる。このデータはコントローラ２００に対してアクセス可能なメモリ、または例えばＣＤ−ＲＯＭ上に格納される。このデータは、イメージフォーム製造前に、版製造装置コントローラ（これはコントローラ２００または別のコントローラである）に対してアクセス可能に作成されさえすればよい。一度イメージが形成されると、データは、マーク７０または７２およびセンサ２４，３４を介してコントローラ２００に対してアクセス可能になる。
【図面の簡単な説明】
【００３３】
【図１】２つの印刷グループおよび１つの折り機を有する、本発明に相応するウェブ印刷機の１つの実施例を概略的に示す図。
【図２】本発明に相応する印刷版の第１の実施例を示す図。
【図３】本発明に相応する印刷版の第２の実施例を示す図。
【符号の説明】
【００３４】
１０  印刷機、  ２０  第１の印刷グループ、  ２２Ａ〜Ｆ  版胴、  ２３  ゴム胴、  ２４  センサ、  ３０  第２の印刷グループ、  ３２  版胴、  ３４  センサ、  ４０  折り機、  ４２  裁断装置、  ５０  版作成装置  、  ７０  マーク、  ７２  マーク、  ７４  ガイドエッジ、  ８０  メインイメージ領域、  ８２  メインイメージ領域、  ９０  手持ち式センサ、  １２０  ウェブ、  １２２  印刷版、  １３０  ウェブ、  １４０  折り丁、  ２００  コントローラ、  ２２０  モータ、  ２２２  版、  ２３０  モータ
【図１】
2009513376.tif 000003
【図２】
2009513376.tif 000004
【図３】
2009513376.tif 000005
【国際調査報告】
2009513376.tif 000006
2009513376.tif 000007
2009513376.tif 000008